(57)【要約】【課題】酸素燃焼装置からの排ガス中に含まれる不純物を簡単な装置によって除去でき、設備コストを低減できるようにする。【解決手段】酸素燃焼装置１からの二酸化炭素主体の排ガス２を二酸化炭素液化装置３に供給する前に圧縮して排ガス２中の不純物を除去する圧縮機不純物除去システムであって、酸素燃焼装置１からの排ガス２を二酸化炭素を液化するための目的圧力まで段階的に圧縮する複数段の圧縮機４ａ，４ｂ，４ｃと、各圧縮機４ａ，４ｂ，４ｃで圧縮した排ガス２を冷却し、冷却によって凝縮した水分をドレンとして取り出すようにしたアフタークーラ５ａ，５ｂ，５ｃとを有する複数段の不純物分離装置６ａ，６ｂ，６ｃと、少なくとも最前段の不純物分離装置６ａにおけるアフタークーラ５ａの上流側にアルカリ剤１０を供給するアルカリ剤供給装置１２を備え、排ガス２中の不純物をアルカリ剤１０を含むドレンにより取り出すよう構成した。【選択図】図１
2014076405.tif 000002
【特許請求の範囲】
【請求項１】
酸素燃焼装置からの二酸化炭素主体の排ガスを二酸化炭素液化装置に供給する前の排ガス中の不純物を除去する圧縮機不純物除去システムであって、
酸素燃焼装置からの排ガスを二酸化炭素を液化するための目的圧力まで段階的に圧縮する複数段の圧縮機と、各圧縮機で圧縮した排ガスを冷却し、冷却によって凝縮した水分をドレンとして取り出すようにしたアフタークーラとを有する複数段の不純物分離装置と、
少なくとも最前段の不純物分離装置におけるアフタークーラの上流側にアルカリ剤を供給するアルカリ剤供給装置を備え、
排ガス中の不純物を、不純物分離装置によって分離されるアルカリ剤を含むドレンにより取り出すよう構成した
ことを特徴とする圧縮機不純物除去システム。
【請求項２】
最前段の不純物分離装置におけるアフタークーラからのドレンを貯留するドレンタンクと、該ドレンタンクに貯留されたドレンのｐＨを計測するｐＨ検出器と、該ｐＨ検出器により検出されるｐＨ検出値に基づいて前記アルカリ剤供給装置によるアルカリ剤の供給量を調節する制御器とを備えることを特徴とする請求項１に記載の圧縮機不純物除去システム。
【請求項３】
最後段の不純物分離装置におけるアフタークーラの下流側に備えた不純物検出器と、該不純物検出器の不純物検出値が入力される前記制御器とを備え、該制御器は、不純物検出器の不純物検出値が所定値を超えたときに前記アルカリ剤供給装置によるアルカリ剤の供給を増加するように構成したことを特徴とする請求項２に記載の圧縮機不純物除去システム。
【請求項４】
最前段の不純物分離装置よりも後段の不純物分離装置におけるアフタークーラの上流側に、アルカリ剤を供給するアルカリ剤供給装置を備えたことを特徴とする請求項１〜３のいずれか１つに記載の圧縮機不純物除去システム。
【発明の詳細な説明】
【技術分野】
【０００１】
本発明は圧縮機不純物除去システムに係わり、特に酸素燃焼装置からの排ガス中に含まれる不純物を簡単な装置によって除去できるようにした圧縮機不純物除去システムに関するものである。
【背景技術】
【０００２】
近年、地球温暖化の原因の一つと言われている二酸化炭素（ＣＯ2）の排出量を低減する技術の一つとして、酸素燃焼装置が検討されており、例えば微粉炭を酸素燃焼する石炭焚ボイラが注目されている。この石炭焚ボイラは、酸化剤として空気の代わりに酸素を使用することで、二酸化炭素（ＣＯ2）を主体とする燃焼排ガスが発生し、この高二酸化炭素濃度の排ガスを圧縮・冷却することで液化二酸化炭素として回収し処分することが考えられている。又、処分の１つとして液化二酸化炭素を地中に貯蔵することも考えられている。このような酸素燃焼用石炭焚ボイラの排ガス処理装置としては特許文献１がある。
【０００３】
上記特許文献１に示すように、石炭焚ボイラによって石炭を酸素燃焼した場合の排ガス中には、二酸化炭素（ＣＯ2）以外に、石炭原料由来の窒素酸化物（ＮＯｘ）、硫黄酸化物（ＳＯｘ）、水銀（Ｈｇ）、塩化水素（ＨＣｌ）、煤塵等の不純物が含まれる。
【０００４】
上記不純物のうち、硫黄酸化物（ＳＯｘ）は水と接触することにより水に溶解して硫酸（Ｈ２ＳＯ４）となり、塩化水素（ＨＣｌ）は水に溶解して塩酸となるため、このような水溶性を示す硫黄酸化物及び塩化水素については水と接触させることで分離できる。
【０００５】
一方、前記不純物である窒素酸化物（ＮＯｘ）のうち、二酸化窒素（ＮＯ2）は水と接触することにより水に溶解して硝酸（ＨＮＯ３）となる。しかし、石炭焚ボイラからの排ガス中には酸素（Ｏ2）が少ないために、窒素は殆どが一酸化窒素（ＮＯ）として存在しており、この一酸化窒素は水に不溶であるためにスプレー等を行っても除去することはできない。
【０００６】
前記、硫酸、塩酸及び硝酸は排ガス処理装置の機器を腐食させる問題を有しており、又、前記微量金属である水銀は熱交換器の低温のアルミニウム部材を損傷させることが分かっている。従って、これらの不純物は早い段階において除去することが好ましい。又、前記不純物が排ガスに混入すると、二酸化炭素の純度が低下するために、圧縮・冷却による液化が大変であり装置機器が大型化するという問題がある。更に、二酸化炭素を液化して地中に所蔵する際に硫黄酸化物が混入していると、硫黄酸化物が地中のカルシウムと反応して貯蔵の密閉性に問題を生じる可能性があることが懸念されている。従って、酸素燃焼を行う石炭焚ボイラ等のように、二酸化炭素主体の排ガスを生じさせてその二酸化炭素を処分するシステムにおいては、排ガス中の不純物を除去することが非常に重要となる。
【０００７】
このため、酸素燃焼を行う石炭焚ボイラ等においては、特許文献１に示すように、従来の空気焚ボイラ等で用いられているスプレー塔方式或いは充填塔方式等からなる湿式と言われる脱硫装置を備えることにより硫黄酸化物を除去することが行われている。又、酸素燃焼を行う石炭焚ボイラ等からの排ガス中には石炭原料由来の窒素及び窒素酸化物が発生するため、前記脱硫装置の上流に、触媒方式等による脱硝装置を備えて、窒素及び窒素酸化物を除去することが行われている。
【０００８】
又、上記した湿式の脱硫装置では、水溶性の硫黄酸化物及び塩化水素が除去されると共に、煤塵が除去され、更に、窒素酸化物も一部が除去されると共に、元々含有量が少ない水銀も僅かに除去されることが知られている。又、上記排ガス処理を行っても排ガス中の水銀の濃度が高い場合には、水銀除去塔を設置して水銀を吸着剤等により除去することが考えられている。
【先行技術文献】
【特許文献】
【０００９】
【特許文献１】特開２０１０−１７２８７８号公報
【発明の概要】
【発明が解決しようとする課題】
【００１０】
しかし、従来の排ガス処理システムにおいては、特許文献１に示すように、スプレー塔方式或いは充填塔方式等からなる湿式の脱硫装置と、触媒方式等による脱硝装置の両方を通常の排ガスラインに備えて排ガス中の不純物を除去しているために、処理する排ガスの量（容積）が大きいことから不純物除去のための装置が非常に大型となり、しかも複雑な構成が必要となって設備コストが増加するという問題を有していた。
【００１１】
本発明は、上記従来の問題点に鑑みてなしたものであり、酸素燃焼装置からの排ガス中に含まれる特に水溶性の不純物を簡単な装置により効果的に除去して、設備コストの低減を図れるようにした圧縮機不純物除去システムを提供するようにしたものである。
【課題を解決するための手段】
【００１２】
本発明は、酸素燃焼装置からの二酸化炭素主体の排ガスを二酸化炭素液化装置に供給する前の排ガス中の不純物を除去する圧縮機不純物除去システムであって、
酸素燃焼装置からの排ガスを二酸化炭素を液化するための目的圧力まで段階的に圧縮する複数段の圧縮機と、各圧縮機で圧縮した排ガスを冷却し、冷却によって凝縮した水分をドレンとして取り出すようにしたアフタークーラとを有する複数段の不純物分離装置と、
少なくとも最前段の不純物分離装置におけるアフタークーラの上流側にアルカリ剤を供給するアルカリ剤供給装置を備え、
排ガス中の不純物を、不純物分離装置によって分離されるアルカリ剤を含むドレンにより取り出すよう構成した
ことを特徴とする圧縮機不純物除去システム、に係るものである。
【００１３】
上記圧縮機不純物除去システムにおいて、最前段の不純物分離装置におけるアフタークーラからのドレンを貯留するドレンタンクと、該ドレンタンクに貯留されたドレンのｐＨを計測するｐＨ検出器と、該ｐＨ検出器により検出されるｐＨ検出値に基づいて前記アルカリ剤供給装置によるアルカリ剤の供給量を調節する制御器とを備えることは好ましい。
【００１４】
又、上記圧縮機不純物除去システムにおいて、最後段の不純物分離装置におけるアフタークーラの下流側に備えられた不純物検出器と、該不純物検出器の不純物検出値が入力される前記制御器とを備え、該制御器は、不純物検出器の不純物検出値が所定値を超えたときに前記アルカリ剤供給装置によるアルカリ剤の供給を増加するように構成することが好ましい。
【００１５】
又、上記圧縮機不純物除去システムにおいて、最前段の不純物分離装置よりも後段の不純物分離装置におけるアフタークーラの上流側に、アルカリ剤を供給するアルカリ剤供給装置を備えることができる。
【発明の効果】
【００１６】
本発明の圧縮機不純物除去システムによれば、圧縮機とアフタークーラからなる最前段の不純物分離装置におけるアフタークーラの上流側にアルカリ剤を供給するアルカリ剤供給装置を備えて、排ガス中の不純物をドレンに溶解させて除去するようにしたので、二酸化炭素の液化に必要な圧縮機とアフタークーラを用いて排ガス中の特に水溶性の不純物を効果的に除去することができ、結果的に装置の大型化及び複雑化を防止して設備コストの大幅な低減が図れるという優れた効果を奏し得る。
【図面の簡単な説明】
【００１７】
【図１】酸素燃焼装置に備えた本発明の圧縮機不純物除去システムの一実施例を示す系統図である。
【図２】本発明における圧縮機不純物除去システムの他の実施例を示す系統図である。
【図３】本発明における圧縮機不純物除去システムの変形例を示す系統図である。
【図４】最前段の不純物分離装置におけるアフタークーラの上流側に供給するアルカリ剤の添加量と硫黄酸化物除去率との関係を示した線図である。
【発明を実施するための形態】
【００１８】
以下、本発明の実施例を、添付図面を参照して説明する。
【００１９】
図１は酸素燃焼装置に備えた本発明の圧縮機不純物除去システム１００の一実施例を示す系統図であり、図１中、１は微粉炭を酸素燃焼する石炭焚ボイラ１ａ等からなる酸素燃焼装置であり、該酸素燃焼装置１からは二酸化炭素（ＣＯ２）を主体とする排ガス２が排出される。このような酸素燃焼装置１からの二酸化炭素主体の排ガス２を二酸化炭素液化装置３に供給して液化するために、二酸化炭素液化装置３の前段において、所定の目的圧力まで排ガス２を圧縮すると共に排ガス２中の不純物を除去する圧縮機不純物除去システム１００を設ける。
【００２０】
図１に示す圧縮機不純物除去システム１００は、前記酸素燃焼装置１からの排ガス２を段階的に目的圧力まで圧縮する複数段の圧縮機４ａ，４ｂ，４ｃと、各圧縮機４ａ，４ｂ，４ｃで圧縮した排ガス２を冷却し、冷却によって凝縮した水分をドレンとして取り出すようにしたアフタークーラ５ａ，５ｂ，５ｃ（冷却機）とを有する複数段（図示例では３段）の不純物分離装置６ａ，６ｂ，６ｃを有している。一般に、多段の圧縮機間に備えられるクーラはインタークーラと称されるが、本発明では説明を簡略化するため全てのクーラをアフタークーラ５ａ，５ｂ，５ｃとして説明する。
【００２１】
二酸化炭素を液化するために前記不純物分離装置６ａ，６ｂ，６ｃを色々な温度・圧力条件で運転した場合について検討した結果、二酸化炭素液化装置３に供給する前に、二酸化炭素を２．５ＭＰａまで昇圧し、−３０℃まで温度を下げた場合に圧縮機４とアフタークーラ５の合計の作動エネルギーが最も小さくなるという知見を得た。このため、２．５ＭＰａを目的圧力とした。ここで、不純物分離装置６ａ，６ｂ，６ｃに設定する温度・圧力は、排ガス２の組成、水分量、運搬手段（運搬船等）の条件によって変化するため、前記目的圧力２．５ＭＰａは目安として設定したものである。又、ここで、−４０℃以下に冷却する必要がある場合には、一般的な代替フロン冷媒が使えなくなり、アンモニア冷凍機を用いる必要があるため設備が高価になる問題がある。従って、アフタークーラ５による冷却温度は−３０℃程度とすることが好ましい。
【００２２】
１台の圧縮機４では排ガス２を目的圧力である２．５ＭＰａまで一気に昇圧することはできないため、本実施例では、３台の圧縮機４ａ，４ｂ，４ｃを設置して０．７５ＭＰａ、１．５ＭＰａ、２．５ＭＰａのように三段階に圧縮するようにした不純物分離装置６ａ，６ｂ，６ｃを構成している。尚、前記圧縮機４ａ，４ｂ，４ｃの設置台数（不純物分離装置６ａ，６ｂ，６ｃの設置数）は４台以上でもよく任意の台数を設置することができる。
【００２３】
上記圧力に設定した最前段の不純物分離装置６ａにおいては、排ガス２中の殆どの水分がドレンとして取り出されるようになり、中段の不純物分離装置６ｂにおいては少量のドレンが取り出され、最後段の不純物分離装置６ｃでは更に少量のドレンが取り出される。
【００２４】
前記圧縮機不純物除去システム１００によって排ガス２中の不純物は除去されるが、圧縮機不純物除去システム１００を経た二酸化炭素中における水銀（Ｈｇ）の濃度が、設定した目標値よりも高い場合には、水銀除去塔７を設置して吸着剤等により水銀を除去するようにしている（図面では水銀除去塔７を破線で示している）。又、前記二酸化炭素液化装置３の前段には、二酸化炭素液化装置３に供給される二酸化炭素に含まれる水分を除去するための乾燥機８を設けている。
【００２５】
図１に示す圧縮機不純物除去システム１００では、最前段の不純物分離装置６ａにおけるアフタークーラ５ａの排気ガス２の入口（上流側）に、アルカリ剤タンク９のアルカリ剤１０をポンプ１１により供給するようにしたアルカリ剤供給装置１２を設けている。アルカリ剤１０としては分散性がよく且つ固着等が生じない苛性ソーダ（ＮａＯＨ）、水酸化マグネシウム等を用いることができるが、分散性が維持され且つ固着等の問題を解消できる場合には、石灰石（ＣａＣＯ３）、生石灰（ＣａＯ）、消石灰（Ｃａ（ＯＨ）２）等を用いることができる。ここでアルカリ剤供給装置１２によりアルカリ剤１０を供給する位置は、アフタークーラ５ａに近い入口とすることができるが、アフタークーラ５ａと該アフタークーラ５ａの上流側における圧縮機４ａとの間の任意の位置とすることができる。
【００２６】
更に、最前段の不純物分離装置６ａには、アフタークーラ５ａから取り出されるドレンを一定量貯留するようにしたドレンタンク１３を設けている。ドレンタンク１３にはレベル調節計１４が設けてあり、該レベル調節計１４は検出値が常に一定値を保持するようにドレンタンク１３のドレン出口（下流側）に設けた取出弁１５の開度を調節する。
【００２７】
更に、前記ドレンタンク１３には、貯留されたドレンのｐＨを計測するｐＨ検出器１６が設けてあり、該ｐＨ検出器１６により検出したｐＨ検出値１６ａは制御器１７に入力されている。そして、制御器１７は、前記ｐＨ検出器１６により検出されるｐＨ検出値１６ａが所定の値に保持されるようにポンプ１１を制御して、前記アルカリ剤供給装置１２によるアルカリ剤１０の供給量を調節している。
【００２８】
又、最後段の不純物分離装置６ｃにおけるアフタークーラ５ｃから排ガス２が導出される出口（下流側）には、排ガス２中の不純物（例えば、硫黄酸化物、塩化水素）を検出する不純物検出器１８を設置して、その不純物検出値１８ａを前記制御器１７に入力しており、該制御器１７は、前記不純物検出器１８による硫黄酸化物或いは塩化水素の不純物検出値１８ａが所定値を超えたとき、緊急時として前記アルカリ剤供給装置１２によるアルカリ剤１０の供給を増加する制御を行うようにしている。ここで不純物検出器１８の設置場所は、排ガス２中の不純物を速やかに検出し得るようにアフタークーラ５ｃの出口が好ましいが、アフタークーラ５ｃの下流側でアフタークーラ５ｃから乾燥機８（または水銀除去塔７）までの位置に設置することも可能である。
【００２９】
又、最前段の不純物分離装置６ａにおける圧縮機４ａには、酸素燃焼装置１からの不純物を含んだ排ガス２が供給されることから腐食を生じることが懸念されるため、最前段の不純物分離装置６ａの圧縮機４ａは、耐熱性のニッケル合金であるハステロイ（登録商標）等の腐食防止材料によって構成することが好ましい。ここで腐食防止材料は、耐熱性のニッケル合金に限定されるものではなく、耐腐食性及び耐熱性を有するならば、他の金属、合金、無機物等であってもよい。又、前記圧縮機４ａは、ブレード（羽根）を有する圧縮機以外に、ブレードを有しないギヤターボチャージャ方式の圧縮機であってもよい。
【００３０】
次に上記実施例の作動を説明する。
【００３１】
酸素燃焼装置１で酸素燃焼した二酸化炭素主体の排ガス２は、例えば０．１ＭＰａ（１気圧）で圧縮機不純物除去システム１００の最前段の不純物分離装置６ａにおける圧縮機４ａに導かれ、該圧縮機４ａにより０．７ＭＰａに圧縮される。圧縮機４ａで０．７ＭＰａに圧縮された排ガス２は、アルカリ剤供給装置１２から供給されるアルカリ剤１０と共に、隣接するアフタークーラ５ｃに供給されて冷却され、冷却によって多量に生成したドレンはアルカリ剤１０と共にドレンタンク１３に取り出される。
【００３２】
最前段の不純物分離装置６ａは、圧縮機４ａによる圧縮とアフタークーラ５ａによる冷却とを行うことでドレンの発生が最も多い部位であり、この最前段の不純物分離装置６ａにおけるアフタークーラ５ｃの上流側にアルカリ剤１０を供給することでｐＨが高くなることにより、特に排ガス中の水溶性の不純物である硫黄酸化物及び塩化水素は、ドレンへの溶け込み性が高められて、効果的に除去される。ここで、ドレンタンク１３内のドレンのｐＨはおよそ４〜６の範囲に設定することができる。又、前記圧縮機４ａでの圧縮により窒素の一部も窒素酸化物となり水溶性となることによりドレンに溶け込んで除去される。
【００３３】
最前段の不純物分離装置６ａを出た排ガス２は、後段の不純物分離装置６ｂに導かれるが、前記排ガス２には反応に供し得なかったアルカリ剤１０が一部存在しているため、後段の不純物分離装置６ｂにおいても、少ないドレンと共に不純物の除去が行われ、更に、排ガス２は、最後段の不純物分離装置６ｃに導かれて、更に少ないドレンと共に不純物が除去される。不純物を含むドレンは排水処理装置に供給されて処理される。
【００３４】
ここで、最前段の不純物分離装置６ａにおけるアフタークーラ５ａの上流側にアルカリ剤１０を供給すると、排ガスのｐＨが高められることにより、後段の不純物分離装置６ｂ，６ｃにおける圧縮機４ｂ，４ｃの材料を腐食環境から守ることができる。
【００３５】
ここで、本発明者らは、最前段の不純物分離装置６ａにおけるアルカリ剤（ＮａＯＨ）の添加量（ｋｇ／ｈｒ）と、硫黄酸化物（ＳＯ２）除去率との関係を求めるシミュレーション試験を実施し、その結果を図４に示した。
【００３６】
図４に示すように、上記試験では、アルカリ剤の添加量が小さいときは硫黄酸化物除去率は２％前後であったものが、アルカリ剤の添加量が増加して２．４（ｋｇ／ｈｒ）付近となったときに硫黄酸化物除去率は急激に上昇し、添加量が２．７（ｋｇ／ｈｒ）付近では９８％程度まで上昇することが判明した。尚、この硫黄酸化物の除去率の傾向は塩化水素においても同様となることが推測される。
【００３７】
従って、上記したように、硫黄酸化物除去率が急激に上昇して高い値を示すときのアルカリ剤１０の添加量と、その時のドレンタンク１３のｐＨを予め測定しておき、実際の運転時には、予め測定しておいたｐＨが維持されるようにアルカリ剤供給装置１２によるアルカリ剤１０の供給量を制御すると、特に腐食性が高いとされる硫黄酸化物及び塩化水素からなる水溶性の不純物は、極めて高い除去率で効果的に除去されるようになる。
【００３８】
更に、後段の不純物分離装置６ｂ，６ｃにおいては、ドレンと共に残りの硫黄酸化物及び塩化水素が除去されるため、硫黄酸化物及び塩化水素の除去率は更に高められる。
【００３９】
又、不純物分離装置６ａ，６ｂ，６ｃによって排ガスの圧力が段階的に高められるため、排ガス２中の窒素も圧力の増加により酸化が促進されて水溶性の窒素酸化物となることから、後段の不純物分離装置６ｂ，６ｃに向かうほど、ドレンと共に多くの窒素酸化物が取り出されるようになるので、窒素酸化物も除去される。
【００４０】
前記したように圧縮機不純物除去システム１００によって排ガス２中の不純物が除去された二酸化炭素は、必要に応じて水銀除去塔７により水銀を除去し、乾燥機８に送られて水分が除去された後、二酸化炭素液化装置３に供給され、冷却により液化される。
【００４１】
図２は本発明における圧縮機不純物除去システムの他の実施例を示す系統図であり、この実施例では、最前段の不純物分離装置６ａの後段に設けられる不純物分離装置６ｂに、最前段の不純物分離装置６ａに備えたものと同一のアルカリ剤供給装置１２、ドレンタンク１３及び制御器１７を備えたものである。
【００４２】
図２の実施例によれば、後段の不純物分離装置６ｂでの不純物の除去率が高まるため、図１の実施例に対して不純物の除去率を更に高めることができる。尚、上記アルカリ剤供給装置１２、ドレンタンク１３及び制御器１７の構成は、前記後段の不純物分離装置６ｂよりも更に後段の（最後段の）不純物分離装置６ｃに設けることもできる。
【００４３】
図３は本発明における圧縮機不純物除去システムの変形例を示す系統図であり、この変形例では、前記圧縮機不純物除去システム１００の下流である最後段の不純物分離装置６ｃの出口に、バイパスダクト２０を設けると共に、該バイパスダクト２０に湿式の脱硫・脱硝装置２１を設け、更に、切替弁２２，２３，２４を備えて前記脱硫・脱硝装置２１に排ガス２を通す流れと通さない流れとに切り替えられるようにしている。
【００４４】
前記バイパスダクト２０に脱硫・脱硝装置２１を備えた構成では、排ガス２を必要に応じて脱硫・脱硝装置２１に導くことにより、排ガス中の不純物を更に低減することができる。このとき、前記圧縮機不純物除去システム１００の各圧縮機４ａ，４ｂ，４ｃによる圧縮によって圧縮機不純物除去システム１００から導出される排ガス２の流量は著しく小さくなっているため、前記脱硫・脱硝装置２１には著しく小型（従来の数十分の１）のものを用いることができる。
【００４５】
上記したように、本発明の圧縮機不純物除去システム１００によれば、圧縮機４ａとアフタークーラ５ａからなる最前段の不純物分離装置６ａにおけるアフタークーラ５ａの上流側に、アルカリ剤１０を供給するアルカリ剤供給装置１２を備えたことにより、二酸化炭素の液化に必要な圧縮機４とアフタークーラ５を用いて、排ガス２中の不純物を効果的に除去することができ、結果的に装置の大型化及び複雑化を防止して設備コストの大幅な低減を図ることができる。
【００４６】
又、本発明の圧縮機不純物除去システム１００において、最前段の不純物分離装置６ａにおけるアフタークーラ５ａからのドレンを貯留するドレンタンク１３と、該ドレンタンク１３に貯留されたドレンのｐＨを計測するｐＨ検出器１６と、該ｐＨ検出器１６により検出されるｐＨ検出値１６ａに基づいて前記アルカリ剤供給装置１２によるアルカリ剤１０の供給量を調節する制御器１７を備えると、アルカリ剤１０を適切に供給して排ガス２中の不純物をより効果的に除去でき、更に、アルカリ剤１０の使用量を適切に制御することによりコストを抑制することができる。
【００４７】
又、本発明の圧縮機不純物除去システム１００において、最後段の不純物分離装置６ｃにおけるアフタークーラ５ｃの下流側に備えた不純物検出器１８と、該不純物検出器１８の不純物検出値１８ａが入力される前記制御器１７を備えると、該制御器１７は、不純物検出器１８の不純物検出値１８ａが所定値を超えたときには前記アルカリ剤供給装置１２によるアルカリ剤１０の供給を増加するように制御して、圧縮機不純物除去システム１００を経た排ガス２中の不純物が急激に増加するような問題を防止することができる。
【００４８】
又、本発明の圧縮機不純物除去システム１００において、最前段の不純物分離装置６ａよりも後段の不純物分離装置６ｂ，６ｃにおけるアフタークーラ５ｂ，５ｃの上流側に、アルカリ剤１０を供給するアルカリ剤供給装置１２を備えると、水溶性の不純物の殆どを除去できることに加えて、非水溶性の不純物である窒素を窒素酸化物に変化させて高い除去率で除去することができる。
【００４９】
又、本発明の圧縮機不純物除去システム１００においては、最前段の不純物分離装置６ａの圧縮機４ａによる圧縮とアフタークーラ５ａによる冷却とにより最も多くのドレンが発生する部位の排ガス２にアルカリ剤１０を供給したので、簡単な装置により、水溶性の不純物である硫黄酸化物及び塩化水素を極めて高い除去率で効果的に除去することができる。
【００５０】
又、本発明の圧縮機不純物除去システム１００においては、最前段の不純物分離装置６ａにおけるアフタークーラ５ａの上流側にアルカリ剤１０を供給したことにより、排ガスのｐＨが高められることにより、後段の不純物分離装置６ｂ，６ｃにおける圧縮機４ｂ，４ｃの材料を腐食環境から守ることができる。
尚、本発明の本発明の圧縮機不純物除去システムは、上述の実施例にのみ限定されるものではなく、本発明の要旨を逸脱しない範囲内において種々変更を加え得ることは勿論である。
【符号の説明】
【００５１】
１  酸素燃焼装置
１ａ  石炭焚ボイラ（酸素燃焼装置）
２  排ガス
３  二酸化炭素液化装置
４  圧縮機
４ａ，４ｂ，４ｃ    圧縮機
５  アフタークーラ
５ａ，５ｂ，５ｃ  アフタークーラ
６ａ，６ｂ，６ｃ  不純物分離装置
１０  アルカリ剤
１２  アルカリ剤供給装置
１３  ドレンタンク
１６  ｐＨ検出器
１６ａ  ｐＨ検出値
１７  制御器
１８  不純物検出器
１８ａ  不純物検出値
１００  圧縮機不純物除去システム
【図１】
2014076405.tif 000003
【図２】
2014076405.tif 000004
【図３】
2014076405.tif 000005
【図４】
2014076405.tif 000006